(57)【特許請求の範囲】
【請求項１】
便器本体と、該便器本体に洗浄用の水を供給する機能部を有する水洗便器装置において、前記機能部の外側に配置され、前記機能部の給水受口と給水管の下流側端部とを接続する継手に、交換可能な定流量弁を配置し、前記定流量弁の下流側に、前記給水受口から前記機能部までの配管を回動させて前記水洗便器装置の側方に突出させる回転継手を設けたことを特徴とする水洗便器装置。
【発明の詳細な説明】
【０００１】
【発明の属する技術分野】
本発明は、便器本体とこの便器本体に洗浄用の水を供給する機能部を有する水洗便器装置に係り、特に、水圧の変化があっても一定の流量の水を流す定流量弁の取付け位置に関するものである。
【０００２】
【従来の技術】
水洗便器装置には、ホールタップを内蔵した洗浄水タンク（ロータンク）を備え、レバー等を操作することで洗浄水タンクの水を便器本体に供給して汚物を流すタイプのものと、例えば、特開２００１−８１８４３公報に示されているように、洗浄水タンクを備えず水道水を直接ジェット水と便器本体内に流して汚物を排出するタイプのものとが知られている。
洗浄水タンクを備えるものは、水道水の元圧の影響を受けることなく一定の水量の水を便器本体に流すことができるが、ジェット水タイプのものは、水道水を直接ジェット水として流すと、水道水の圧力が高い場合には大量の水が流れるが、水量水の圧力が低い場合にはジェット水の量が不足し、汚物を完全に流すことができない場合があり、水道水の圧力は水洗便器装置の取付け場所によって異なる他、同一の住宅においても、他の場所で水を使用すると水洗便器装置が受けようとする水道圧が下がってしまう場合がある。
【０００３】
そこで、ジェット水タイプの水洗便器装置においては、例えば、特開平１１−１０８２２２号公報に記載のように、一般に水道水の元圧が変化しても、常時一定の水量が流れる定流量弁が使用されている。
そして、図７に示すように、この定流量弁６０は、便器本体の上部後ろ側に設けられている機能部６１内に収納され、同じく機能部６１内に配置されているジェット水や便器本体のリムに水道水を供給する便器洗浄装置６２の直上流側（例えば、図１における矢視ａ位置）に設けられている。定流量弁６０の上流側には分岐金具６３を介して局部洗浄装置６４に給水され、分水金具６３から上流側には、継手６５が設けられ、止水栓６６にはフレキシブルホース６７を介して接続されている。
【０００４】
【発明が解決しようとする課題】
ところが、定流量弁６０は比較的複雑な構造となっており、水道水にゴミや錆等があると、定流量弁６０の部分に引っ掛かって、定流量弁６０の動きが悪くなる場合があった。この場合、定流量弁６０を掃除又は交換する必要があるが、定流量弁６０は、機能部６１内にあるので、修理交換を行う場合には、機能部６１のケースを取り外し、便器洗浄装置６２回りの配管を分解して取り外す必要があり、極めて手間であるという問題があった。
本発明はかかる事情に鑑みてなされたもので、比較的簡単に定流量弁の修理や交換が可能な水洗便器装置を提供することを目的とする。
【０００５】
【課題を解決するための手段】
前記目的に沿う第１の発明に係る水洗便器装置は、便器本体と、該便器本体に洗浄用の水を供給する機能部を有する水洗便器装置において、前記機能部の外側に配置され、前記機能部の給水受口と給水管の下流側端部とを接続する継手に、交換可能な定流量弁を配置し、前記定流量弁の下流側に、前記給水受口から前記機能部までの配管を回動させて前記水洗便器装置の側方に突出させる回転継手を設けた。これによって、定流量弁を交換する場合、機能部から外側に配置されている継手を分解することによって、清掃又は交換を行うことができる。
【０００７】
【発明の実施の形態】
続いて、添付した図面を参照しつつ、本発明を具体化した実施の形態につき説明し、本発明の理解に供する。
ここに、図１は本発明の第１の実施の形態に係る水洗便器装置の一部省略斜視図、図２は同水洗便器装置の水回りのブロック図、図３は同水洗便器装置の継手の断面図、図４は同水洗便器装置の斜視図、図５は第２の実施の形態に係る水洗便器装置の一部省略斜視図、図６は第３の実施の形態に係る水洗便器装置に使用する定流量弁の断面図である。
【０００８】
図１〜図４に示すように、本発明の第１の実施の形態に係る水洗便器装置１０は便器本体１１内に溜まった汚物をジェット水で流すサイフォンジェット式のもので、便器本体１１と、便器本体１１の上部後ろ側に配置された機能部１２とを有している。機能部１２には、便蓋１３及び便蓋１３の下にある便座の図示しない開閉駆動手段、局部洗浄装置（衛生洗浄装置）１４、便器本体１１のリム及びジェット水の噴水口に給水する便器洗浄装置１５を有している。図１に示すように、便器洗浄装置１５は、便器本体１１のリムに流す水のオンオフを行う電磁弁１６と、ジェット水のオンオフを行う電磁弁１７と、電磁弁１６、１７が閉じた直後に水流によって排水管内が真空になるのを防止する真空破壊弁１８、１９とを有している。
【０００９】
便器洗浄装置１５への給水は機能部１２内に配置されている分岐金具２０を介して行われ、分岐金具２０から局部洗浄装置１４への給水も行われている。分岐金具２０から上流側には接続金具２１を介して定流量弁内蔵の継手２２が設けられている。継手２２は、図３に示すように、機能部１２の給水受口側の継手要素２３とこれと対となる上流側、即ち、給水管の一例であるフレキシブルホース３２の下流側端部に接続される継手要素２４とによって構成されている。
継手要素２３は、中間部の外側に雄ねじ２５が形成され、内側の通水部２６に段部２７、２７ａを介して拡径挿入部２８が設けられている。一方、継手要素２４は、拡径挿入部２８に挿入する筒状ガイド部２９と、袋ナット３０の端部を止めるストッパー部３１とを有し、筒状ガイド部２９の反対側（即ち上流側）にはフレキシブルホース３２の下流側端部が締め付け金具３３によって固定されている。筒状ガイド部２９の途中位置には、継手要素２３、２４のシールを行うＯリング３４を設けるＯリング溝３５が設けられている。
【００１０】
段部２７と段部２７ａとの間には、定流量弁３６の着座フランジ３７が嵌入する定流量弁装着部３８が設けられている。
定流量弁３６の構造は、例えば、特開平１１−１０８２２２号公報に定流量弁の一例で記載されているが、流路中央に流れ方向に移動可能に配置された座板３９と、座板３９を上流側に押しやる円錐台形状のコイルバネ４０と、コイルバネ４０の下流側に設けられた通水路４１とを有し、水圧の変動によってコイルバネ４０を伸縮させ、全体の水路に抵抗を与えて、一次側の水圧が変動しても、二次側に一定の水量が流れるように構成されている。
この定流量弁３６は、継手要素２３に設けられた定流量弁装着部３８に固定されているが、上流側の継手要素２４にこの定流量弁３６を止める装着部を設けることも可能であり、両方の継手要素２３、２４に跨がって装着部を設けることもできる。
【００１１】
図４に示すように、この定流量弁３６を収納した継手２２は、機能部１２の後ろ側に突出して配置され、しかも一方側（この実施の形態では、水洗便器装置１０を正面から見て左側）に偏って配置されている。接続金具２１は機能部１２のケーシング内に配置され、外部からは見えないようになっている。
継手２２には、フレキシブルホース３２が接続されこのフレキシブルホース３２の上流側端部は止水栓４２に接続されている。
【００１２】
従って、この水洗便器装置１０を使用して、定流量弁３６の点検を行う場合や、定流量弁３６の交換を行う場合には、継手２２の袋ナット３０を外して継手要素２３と継手要素２４を切り離すと、定流量弁３６を引き出すことができる。
そして、清掃したあるいは新しい定流量弁３６を再度装着して、継手要素２３と継手要素２４を袋ナット３０で締めることによって連結する。これらの工事は、水洗便器装置１０の外側で行うことができる。
【００１３】
続いて、図５に示す本発明の第２の実施の形態に係る水洗便器装置について説明するが、前記実施の形態と同一の構成要素については同一の符号を付してその詳しい説明を省略する。
この実施の形態においては、第１の実施の形態に係る水洗便器装置１０の接続金具２１の代わりに、回転継手（ロータリジョイント）４３が使用されている。この実施の形態では回転継手４３は機能部１２の外側に設けられているが、内側に設けることもできる。回転継手４３にはＬ字形のベンド４４が取付けられ、その先部に継手２２が取付けられている。
【００１４】
この第２の実施の形態に係る水洗便器装置の定流量弁３６を交換する場合には、ベンド４４を垂直方向から水平方向に回して、継手２２を水洗便器装置１０の側方に突出させて行う。この後、図３にも示すように、袋ナット３０を緩めて、継手要素２２、２３の分解を行い、定流量弁３６を交換又は清掃し、再度、定流量弁３６を継手要素２３内に入れて、継手要素２４の筒状ガイド部２９を拡径挿入孔２８に差し込み、袋ナット３０を雄ねじ２５に螺合させて組み立てる。
【００１５】
続いて、図６に示す第３の実施の形態に係る水洗便器装置に使用する定流量弁４５を示すが、両端に継手の一例であるテーパー雄ねじ４６、４７が設けられ、内部には流れ方向に移動可能な座板４８と、これを上流側に付勢するコイルバネ４９とを有し、水は内径の大きい第１の水路５０から直径の小さい第２の水路５１に流れ込む。第２の水路５１の入口側には有効面積が第２の水路５１より小さい通水路５２が設けられている。なお、５３はガイドロッドを、５４は筒状ガイドを示し、ガイドロッド５３の端部にはストッパー５５が設けられている。
この定流量弁４５を使用する場合には、水洗便器装置から外側に出す配管の端部に内部に雌ねじが形成されたソケットを取付け、フレキシブルホースの端部にも雌ねじが形成されたソケットを設けることになる。この場合、この定流量弁４５に一旦ユニオンを接続し、このユニオンを水洗便器装置から外部に出る配管又はフレキシブルホースに取付けるのが好ましい。
なお、この定流量弁４５を止水栓に取付けてもよい。
なお、本発明は前記実施の形態に限定されるものではなく、本発明の要旨を変更しない範囲の変形例も本発明に含まれる。
【００１６】
【発明の効果】
請求項１に記載の水洗便器装置は、便器本体と、該便器本体に洗浄用の水を供給する機能部を有する水洗便器装置において、前記機能部の外側に配置され、前記機能部の給水受口と給水管の下流側端部とを接続する継手に、交換可能な定流量弁を配置し、前記定流量弁の下流側に、前記給水受口から前記機能部までの配管を回動させて前記水洗便器装置の側方に突出させる回転継手を設けているので、これによって、定流量弁が詰まった場合、故障した場合には、機能部を分解することなく容易に点検、清掃又は交換ができる。また、定流量弁を首振り可能なＬ字形ベンドの上流側端部に設ければ、常時は垂直方向に下りているＬ字形ベンドを水平方向にすると、継手が機能部の側方に突出するので、定流量弁の交換や清掃が更に容易となる。
【図面の簡単な説明】
【図１】本発明の第１の実施の形態に係る水洗便器装置の一部省略斜視図である。
【図２】同水洗便器装置の水回りのブロック図である。
【図３】同水洗便器装置の継手の断面図である。
【図４】同水洗便器装置の斜視図である。
【図５】第２の実施の形態に係る水洗便器装置の一部省略斜視図である。
【図６】第３の実施の形態に係る水洗便器装置に使用する定流量弁の断面図である。
【図７】従来例に係る水洗便器装置の水回りのブロック図である。
【符号の説明】
１０：水洗便器装置、１１：便器本体、１２：機能部、１３：便蓋、１４：局部洗浄装置、１５：便器洗浄装置、１６、１７：電磁弁、１８、１９：真空破壊弁、２０：分岐金具、２１：接続金具、２２：継手、２３：継手要素、２４：継手要素、２５：雄ねじ、２６：通水部、２７、２７ａ：段部、２８：拡径挿入部、２９：筒状ガイド部、３０：袋ナット、３１：ストッパー部、３２：フレキシブルホース、３３：締め付け金具、３４：Ｏリング、３５：Ｏリング溝、３６：定流量弁、３７：着座フランジ、３８：定流量弁装着部、３９：座板、４０：コイルバネ、４１：通水路、４２：止水栓、４３：回転継手（ロータリジョイント）、４４：ベンド、４５：定流量弁、４６、４７：テーパー雄ねじ、４８：座板、４９：コイルバネ、５０：第１の水路、５１：第２の水路、５２：通水路、５３：ガイドロッド、５４：筒状ガイド、５５：ストッパー
【図１】
0004720062.tif 000002
【図２】
0004720062.tif 000003
【図３】
0004720062.tif 000004
【図４】
0004720062.tif 000005
【図５】
0004720062.tif 000006
【図６】
0004720062.tif 000007
【図７】
0004720062.tif 000008